(57)【要約】  【課題】  フレキシブルプリント基板が撮影光路内に進入することを防止すると共に、小型化が実現可能なレンズ鏡筒及び電子機器の提供。  【解決手段】  本発明は、光軸方向に移動する移動枠と、前記第1のレンズ鏡筒内に設けられる電気装置と、該電気装置と前記第1のレンズ鏡筒の外部にある制御回路部とを電気的に連絡する可撓性の電気信号線と、前記電気信号線を案内する可動案内部材とを有し、該可動案内部材は、前記移動枠に対して光軸方向に相対移動可能となるように、上記移動枠に支持されているレンズ鏡筒及び電子機器。【選択図】図４
2006145704.tif 000002
【特許請求の範囲】
【請求項１】
レンズ鏡筒において、
光軸方向に移動する移動枠と、
上記レンズ鏡筒内に設けられる電気装置と、
上記電気装置と上記レンズ鏡筒の外部にある制御回路部とを電気的に連絡する可撓性の電気信号線と、
上記電気信号線を案内する可動案内部材と、
を有し、
上記可動案内部材は、上記移動枠に対して光軸方向に相対移動可能となるように、上記移動枠に支持されていることを特徴とするレンズ鏡筒。
【請求項２】
上記移動枠は、バネ部材を有し、
上記可動案内部材が上記バネ部材により所定方向に付勢され、上記電気信号線に所定の張力を与えながら案内することを特徴とする請求項１に記載のレンズ鏡筒。
【請求項３】
上記移動枠は、ピン部材を有し、
上記可動案内部材が上記ピン部材の当接により、上記移動枠の一方向の移動に連動されることを特徴とする請求項１に記載のレンズ鏡筒。
【請求項４】
上記電気信号線は、上記可動案内部材の一面に案内保持されていることを特徴とする請求項１から請求項３のいずれかに記載のレンズ鏡筒。
【請求項５】
レンズ鏡筒において、
上記レンズ鏡筒内に設けられ、移動する枠部材と、
上記レンズ鏡筒内に設けられ、上記枠部材の上記移動に連動する可撓性の電気信号線と、
上記電気信号線を案内する可動案内部材と、
を有し、
上記可動案内部材は、上記電気信号線の上記連動に応じて上記レンズ鏡筒内において上記枠部材の上記移動とは独立して移動可能に支持されていることを特徴とするレンズ鏡筒。
【請求項６】
電子機器において、
固定部材と、
上記固定部材と相対的に移動する移動部材と、
上記電子機器内部に配設され、上記移動部材の上記移動に連動する可撓性の電気信号線と、
上記電子機器内部に移動可能に配設され、上記電気信号線を案内する可動案内部材と、
を有し、
上記可動案内部材は、上記電気信号線を所望の範囲に案内し、独立して移動可能であることを特徴とする電子機器。
【発明の詳細な説明】
【技術分野】
【０００１】
本発明は、レンズ鏡筒及び電子機器に関し、その内部に電気的な接続のためのフレキシブルプリント基板が配設されるレンズ鏡筒及び電子機器に関する。
【背景技術】
【０００２】
従来、鏡枠を進退移動させ、焦点距離を変更可能なズームレンズ鏡筒を有するカメラ等の電子機器が知られている。以下、この種のカメラの一例を説明する。
【０００３】
例えば、ズームレンズ鏡筒に、被制御部が設けられて、さらに、該被制御部とカメラ本体内の回路基板とを電気的に接続するフレキシブルプリント基板（以下、ＦＰＣと記載する）が設けられているカメラが知られている。
【０００４】
上述したＦＰＣは、鏡枠の進退移動に伴って進退移動するよう設けられており、鏡筒が進退移動したとしても、被制御部にカメラ本体内の回路基板からの各種信号を確実に授受できるようになっている。
【０００５】
ところで、上述したカメラにおいては、ズームレンズ鏡筒が進退移動すると、ＦＰＣが撮影光学系の撮影光路内に進入してしまう場合があり、このＦＰＣにより撮影光束の進路をふさぐ虞があった。
【０００６】
このような事情に鑑み、例えば特許文献１では、鏡枠の進退移動によりＦＰＣが撮影光路に進入しないようにＦＰＣのガイド部材が配設されたズームレンズ鏡筒の構造が開示されている。
【特許文献１】特開平１０−１７０８０７号公報
【発明の開示】
【発明が解決しようとする課題】
【０００７】
しかしながら、上述の特許文献１に開示されたズームレンズ鏡筒の構造において、鏡枠伸縮の際にＦＰＣを案内するガイド部材は、所定の鏡枠に固定され、ＦＰＣの展開長に対応した長手方向の長さが必要とされる。
【０００８】
また、ズームレンズ鏡筒内には、各種構造物が内蔵されているため、ガイド部材は各種構造物に当接しないように配設する必要がある。さらに、ガイド部材を設けるスペースは、光軸方向に進退移動する各鏡枠に構造物と当接しないよう、光軸方向に設ける、若しくは鏡筒外径を大きくする必要がある。
【０００９】
そのため、特に、ズームレンズ鏡筒が沈胴した状態において、ズームレンズ鏡筒の光軸方向の長さが長くなってしまう、若しくは鏡筒外径が大きくなってしまい、ズームレンズ鏡筒の小型化を阻害してしまうとういう設計上の問題がある。
【００１０】
本発明は、上記問題に鑑み、ＦＰＣが撮影光路内に進入することを防止すると共に、光軸方向の小型化が実現可能なレンズ鏡筒及び電子機器を提供することを目的とする。
【課題を解決するための手段】
【００１１】
上記目的を達成するため、本発明による第1のレンズ鏡筒は、光軸方向に移動する移動枠と、前記第1のレンズ鏡筒内に設けられる電気装置と、該電気装置と前記第1のレンズ鏡筒の外部にある制御回路部とを電気的に連絡する可撓性の電気信号線と、前記電気信号線を案内する可動案内部材とを有し、該可動案内部材は、前記移動枠に対して光軸方向に相対移動可能となるように、上記移動枠に支持されている。
【００１２】
本発明による第２のレンズ鏡筒は、第１のレンズ鏡筒において、前記移動枠がバネ部材を有し、前記可動案内部材が前記バネ部材により所定方向に付勢され、前記電気信号線に所定の張力を与えながら案内する。
【００１３】
本発明による第３のレンズ鏡筒は、第１または第２のレンズ鏡筒において、前記移動枠がピン部材を有し、前記可動案内部材が前記ピン部材の当接により、前記移動枠の一方向の移動に連動される。
【００１４】
本発明による第４のレンズ鏡筒は、第１から第３のいずれかのレンズ鏡筒において、前記電気信号線は、前記可動案内部材の一面に案内保持されている。
【００１５】
本発明による第５のレンズ鏡筒は、該第５のレンズ鏡筒内に設けられ、移動する枠部材と、前記第５のレンズ鏡筒内に設けられ、前記枠部材の前記移動に連動する可撓性の電気信号線と、前記電気信号線を案内する可動案内部材と、を有し、前記可動案内部材は、前記電気信号線の前記連動に応じて上記レンズ鏡筒内において前記枠部材の前記移動とは独立して移動可能に支持されている。
【００１６】
本発明による電子機器は、固定部材と、該固定部材と相対的に移動する移動部材と、前記電子機器内部に配設され、前記移動部材の前記移動に連動する可撓性の電気信号線と、前記電子機器内部に移動可能に配設され、前記電気信号線を案内する可動案内部材と、を有し、前記可動案内部材は、前記電気信号線を所望の範囲に案内し、独立して移動可能である。
【発明の効果】
【００１７】
本発明によれば、フレキシブルプリント基板が撮影光路内に進入することを防止すると共に、小型化のレンズ鏡筒及び電子機器を実現することができる。
【発明を実施するための最良の形態】
【００１８】
（第１の実施の形態）
以下、図面に基づいて、本実施形態について説明する。  
図１〜図５は、本発明の第１の実施形態に係り、図１はテレ状態での第１の実施形態に係るレンズ鏡筒の光軸上における断面図、図２はワイド状態での第１の実施形態に係るレンズ鏡筒の光軸上おける断面図、図３は標準状態での第１の実施形態に係るレンズ鏡筒の光軸上における断面図、図４は第１の実施形態に係るフレキシブルプリント基板及び可動案内部材を説明するための概略構成図、図５はテレ状態からワイド状態へ移動途中の第１の実施形態に係るレンズ鏡筒の光軸上における断面図である。
【００１９】
なお、図１に示すテレ状態でのレンズ鏡筒は、光軸方向の長さが最も長く伸長した状態である。また、図３に示す標準状態のレンズ鏡筒においては、光軸方向の長さが最も短縮した状態である。
【００２０】
以下に説明する本実施の形態において、レンズ鏡筒の光学系（撮影レンズ）の光軸をＯとし、この光軸Ｏに沿った方向をＺ方向とする。なお、図１〜図３及び図５に示されるレンズ鏡筒において、被写体に向かった方向を前方（＋Ｚ方向）とし、結像側の方向を後方（−Ｚ方向）として説明する。
【００２１】
図１〜図３に示す、本実施形態のレンズ鏡筒１は、一眼レフレックスタイプの図示しない電子機器であるカメラ本体に着脱可能で、且つ、焦点調節可能なズームレンズ鏡筒であって、主に外装を形成し、後方内部に制御基板が配設される外装ユニット２と、該外装ユニット２内部に収納され、光学系が内蔵される光学ユニット３とを有して構成される。
【００２２】
詳述すると、レンズ鏡筒１の外装ユニット２は、光学ユニット３を内包し、直進溝１１ａが形成され、後述する固定案内部材２４を有する固定部材である固定枠１１と、該固定枠の前方に装着される前面カバー１２と、固定枠１１に回動可能に嵌合し、フォーカシング用の距離環１４と、外周にゴムリング１３が嵌合装着され、固定枠１１に対して回動可能なズーミング用のズーム環１５と、該ズーム環１５と一体となるように嵌合固着された第１カム枠１８と、距離環１４とズーム環１５の間に配設される固定中枠２０と、ズーム環１５などの光軸Ｏ方向の移動を防止するために後端部に配設される後端部外装部材としての後カバー１６と、固定枠１１の背面部に固着されるレンズマウント１７と、該レンズマウント１７の内周に挿入固着される後カバー１９と、固定枠１１の基端側に回動可能に嵌合され、オートフォーカシングの際に図示しないフォーカスモータにより回動されるレンズ駆動環（ＬＤ環）２６とを有して構成されている。レンズ駆動環２６は、光軸Ｏと平行な駆動キー２６ａを有し、後述する第２カム枠３６に設けられている光軸Ｏと平行な直進溝３６ｃと嵌合している。従って、レンズ駆動環２６が回動すると、第２カム枠３６は、回動し、光軸Ｏ方向に移動可能となっている。
【００２３】
また、外装ユニット２には、後端側の固定枠１１とレンズマウント１７の間に各種駆動系などを制御するための硬質制御基板２１が配設されている。この硬質制御基板２１は、レンズマウント１７に配設される接続端子２２と電気線２３によって電気的に接続されている。なお、接続端子２２は、レンズマウント１７が図示しないカメラ本体のマウントに装着された状態において、カメラ本体の制御回路部と電気的に接続され、各種信号を授受するための端子である。
【００２４】
一方、レンズ鏡筒１の光学ユニット３は、前面側にフィルタ環３１ａ及び飾り環３１ｂが固着され、第１群レンズ４１を保持固定する第１群レンズ保持枠３１と、第２群レンズ４２を保持固定する第２群レンズ保持枠３２と、第３群レンズ４３を保持固定する第３群レンズ保持枠３３と、第４群レンズ４４を保持固定する固定レンズ枠３４と、第３群レンズ保持枠３３の前面側に固着され、絞り羽根５０を有し、移動枠である絞り枠３５と、第１群レンズ保持枠３１に固着され、固定枠１１の直進溝１１ａにガイドされる突起部３８ａを有する第１移動枠３８と、回動可能かつ光軸Ｏ方向に進退可能な第２カム枠３６と、該第２カム枠３６と光軸Ｏ方向に一体で相対回転可能なように嵌合された第２移動枠３７とを有して構成されている。
【００２５】
また、第３群レンズ保持枠３３と共に移動する絞り枠３５には、電気装置である絞り駆動用モータ５５及び図示しない絞り検出装置が配設されている。この絞り枠３５は、この絞り枠３５に対し、相対的に独立して光軸Ｏ方向に進退移動可能な可動案内部材である可動案内部材５１を有している。
【００２６】
絞り枠３５に配設される絞り駆動用モータ５５及び絞り検出装置は、固定枠１１の固定案内部材２４に一部分が貼着され、帯状形状を有して可撓性を有する電気信号線であるフレキシブルプリント基板（以下、ＦＰＣという）２５を介して硬質制御基板２１と電気的に接続されている。
【００２７】
次に、レンズ鏡筒１の各枠の連結状態について簡単に説明する。  
第１カム枠１８は、内周に設けられるカム溝１８ａが第２移動枠３７の図示しないカムフォロアと係合し、これにより第２移動枠３７と連結されている。また、同じく第１カム枠１８の内周に設けられるカム溝１８ｂが第３群レンズ保持枠３３と固定されている絞り枠３５のカムフォロア３５Ａ（図４参照）と係合し、これにより第１カム枠１８は、絞り枠３５を介して第３群レンズ保持枠３３とも連結されている。
【００２８】
第２移動枠３７と一体となる第２カム枠３６は、内周に設けられるカム溝３６ｂが第２群レンズ保持枠３２の図示しないカムフォロアと係合し、第２群レンズ保持枠３２と連結されている。また、第２カム枠３６の外周に設けられるオスヘリコイド３６ａが第１移動枠３８の内周に設けられるメスヘリコイド３８ｃと係合し、これにより第２カム枠３６は、第１移動枠３８と連結されている。
【００２９】
なお、本実施形態のレンズ鏡筒１においては、ズーム環１５の回動駆動に伴って、第１群レンズ４１、第２群レンズ４２及び第３群レンズ４３が光軸Ｏ方向に沿って進退移動される。さらに、レンズ鏡筒１は、距離環１４の回動に従い、図示せぬフォーカスモータがＬＤ環２６を回動させ、内設される第２群レンズ４２及び第３群レンズ４３が光軸Ｏ方向に進退駆動される。
【００３０】
次に、図１〜図４を参照して、絞り枠３５、可動案内部材５１、固定案内部材２４及びＦＰＣ２５について説明する。  
なお、図４は、可動案内部材５１を詳細に説明するためのものであり、一部の部材を簡略的に示しており、第２群レンズ保持枠３２などは、図面に記載していない。
【００３１】
図４に示すように、可動案内部材５１は、長手方向（光軸Ｏ方向）に沿った長孔５１ａを有し、短手方向（光軸Ｏ周り方向）の長さがＦＰＣ２５の短手方向（光軸Ｏ周り方向）の長さと略同一となる板状の部材である。一方、絞り枠３５の外周面光軸Ｏ後方寄りには、突起部３５ａが突設されている。
【００３２】
また、この突起部３５ａは、可動案内部材５１の長孔５１ａに対して、摺動自在に嵌挿され、さらに突起部３５ａが長孔５１ａに嵌挿された状態で、突起部３５ａが長孔５１ａに対して離間することなく摺動自在となるように、突起部３５ａの突出端よりネジ５２を用いて押さえ板５３を覆設する。これにより、可動案内部材は、絞り枠３５に対して独立して光軸Ｏ方向に進退移動可能に支持される。
【００３３】
可動案内部材５１は、後述する固定案内部材２４よりも光軸Ｏ側（内径側）に位置している。可動案内部材５１と固定案内部材２４は、光軸Ｏと並行で、鏡筒径方向に互いに異なる位置に配設され、鏡筒径方向で互いに重なることが可能なように配置されている。また、可動案内部材５１と固定案内部材２４は、夫々の上下間、つまり、可動案内部材５１の上面と固定案内部材２４の下面との間にＦＰＣ２５が挿通するための隙間が形成されるように所定の離間距離を有して互いに並設されている。
【００３４】
なお、可動案内部材５１は、図１〜図３に示すように、レンズ鏡筒１がテレ状態、ワイド状態及び標準状態の全ての状態において、その後端部分が後述する固定案内部材２４と長手方向に対して光軸Ｏに略直交する方向に対して、少なくとも重なる部分を有するように、長手方向の長さが設定されている。また、可動案内部材５１は、長孔５１ａの長手方向の長さ範内において光軸Ｏ方向に進退移動自在となる。  
固定案内部材２４は、短手方向の長さがＦＰＣ２５の短手方向の長さと略同一となる、固定枠１１と一体に固着された板状の部材である（図３参照）。この固定案内部材２４は、固定案内部材２４の長手方向における一端が、固定枠１１の後端側内部に固定配設されており、レンズ鏡筒１が光軸Ｏ方向において最も長さが短くなる状態、つまり、標準状態（図３参照）において、繰り込まれる各鏡枠と当接しないように長手方向の長さが設定されている。
【００３５】
ＦＰＣ２５は、帯状部分の中途の一部分が固定案内部材２４の紙面に向かって見た上面、すなわち、外周側の面に両面テープなどによって貼着固定されている。このＦＰＣ２５は、固定案内部材２４の前方端部及び可動案内部材５１の後方端部の近傍部分において、夫々、それら端部を覆うように、Ｕ状に曲げ畳まれた曲形部２５ａ,２５ｂを有し、固定案内部材２４の上記上面から、２つのＵ字状部を経て、可動案内部材５１の裏面に沿って絞り枠３５側へ延びている。
【００３６】
また、ＦＰＣ２５は、その帯状の先端部が絞り駆動用モータ５５及び絞り検出装置（不図示）に接続され、先端部分２５ｃが絞り枠３５の後方部分の外周面に接着固定されている。このＦＰＣ２５は、３重に曲げ畳まれた状態（いわばＳ字状に曲げ畳まれた状態）となり、固定案内部材２４及び可動案内部材５１によって光束内に侵入しないように案内保持されている。
【００３７】
なお、図１に示すレンズ鏡筒１がテレ状態のとき、ＦＰＣ２５は、上記先端部分２５ｃから曲形部２５ａまでの部分が可動案内部材５１の下面に沿わされており、曲形部２５ａから曲形部２５ｂまでの中途部分が最も短い状態となり、この中途部分が可動案内部材５１と固定案内部材２４により形成される隙間に挿通（存在）している。このとき、ＦＰＣ２５は、光軸Ｏ方向の長さが最も長く展開され、３重に曲げ畳まれた状態となり、固定案内部材２４及び可動案内部材５１によって光束内に侵入しないように案内保持されている。
【００３８】
また、図２及び図３に示すレンズ鏡筒１が標準及びワイド状態のとき、ＦＰＣ２５は、曲形部２５ａから曲形部２５ｂまでの中途部分が最も長い状態となり、その中途部分が可動案内部材５１と固定案内部材２４により形成される隙間に挿通（存在）している。このとき、ＦＰＣ２５は、光軸Ｏ方向の長さが最も短く、３重に曲げ畳まれた状態にされ、固定案内部材２４及び可動案内部材５１によって光束内に侵入しないように案内保持されている。
【００３９】
また、ＦＰＣ２５は、絞り枠３５の移動距離に対応するため、十分な展開ができるように光軸Ｏ方向の長さが設定されている。つまり、図１に示すように、光軸Ｏ方向の長さが最大となるテレ状態のレンズ鏡筒１内において、ＦＰＣ２５は、絞り枠３５の絞り駆動用モータ５５などと硬質制御基板２１を電気的に接続するため、その光軸Ｏ方向の長さが設定されている。
【００４０】
また、図４に示すように、第１移動枠３８は、光軸Ｏ方向に沿って絞り枠３５を非回動に規制するため、光軸Ｏ方向に延びた直進ガイド溝を有するレール部３８ｂを有している。すなわち、絞り枠３５は、カムフォロア３５Ａが設けられる突起部３５Ｂを外周面に有しており、この突起部３５Ｂがレール部３８ｂの直進ガイド溝に嵌入して直進ガイドされるため、第３群レンズ保持枠３３と共に、光軸Ｏ周りの回転が規制されている。
【００４１】
なお、第２群レンズ保持枠３２は、第１群レンズ保持枠３１と第２群レンズ保持枠３２とに設けられた直進案内部３２ａによって、光軸Ｏ周りに回動しないように直進ガイドされている。
【００４２】
上述のように構成された、レンズ鏡筒１のズーミングの際における第１群レンズ４１〜第３群レンズ４３及び絞り枠３５の進退移動、並びにそのときのＦＰＣ２５及び可動案内部材５１の作用について図１〜図３及び図５に基づいて説明する。
【００４３】
先ず、レンズ鏡筒１が図１のテレ状態から図２のワイド状態にズーミングがなされる場合、ＬＤ環２６は、非回転状態に保持されている。ズーム環１５がズーミングのため、所定の方向に回動操作されると、第１カム枠１８は、ズーム環１５に連動して回動される。第１カム枠１８の回動に伴って、第２移動枠３７のカムフォロア（不図示）を介して第１カム枠１８のカム溝１８ａによって第２移動枠３７及び第２カム枠３６が回動せずに−Ｚ方向へ繰り込まれる。このとき、第１移動枠３８は、第１群レンズ保持枠３１と共に、メスヘリコイド３８ｃと第２カム枠３６のオスヘリコイド３６ａを介して−Ｚ方向へ繰り込まれる。また、第２群レンズ保持枠３２は、そのカムフォロア（不図示）を介して第２カム枠３６のカム溝３６ｂにより−Ｚ方向へ繰り込まれる。
【００４４】
なお、第１移動枠３８は、固定枠１１の直進溝１１ａによって光軸Ｏ方向に直進ガイドされ、第２群レンズ保持枠３２は、直進案内部３２ａにより非回動となっており、第１群レンズ保持枠３１と共に光軸方向に移動する。さらに、絞り枠３５は、カム１８ｂにより、光軸後方（−Ｚ方向）に駆動される。そして、レンズ鏡筒１は、図３に示す標準の状態、すなわち、光軸Ｏ方向の長さが最も短い状態となる。また、本実施の形態のレンズ鏡筒１は、ワイド状態から標準状態にされる際、第３群レンズ保持枠３３及び絞り枠３５が略非移動状態となっている。
【００４５】
更に、ズーミングのため、ズーム環１５が所定の方向に回動されると、連動する第１カム枠１８の回動に伴って、第２移動枠３７のカムフォロアを介して第１カム枠１８のカム溝１８ａによって第２移動枠３７及び第２カム枠３６が＋Ｚ方向へ繰り出され、第１移動枠３８及び第１群レンズ保持枠３１が第１移動枠３８のメスヘリコイド３８ｃと第２カム枠３６のオスヘリコイド３６ａを介して第２カム枠３６により＋Ｚ方向へ繰り出される。また、第２群レンズ保持枠３２は、そのカムフォロア（不図示）を介して第２カム枠３６のカム溝３６ｂにより＋Ｚ方向へ繰り出される。
【００４６】
第３群レンズ保持枠３３は、絞り枠３５と共に、カムフォロア３５Ａ（図４参照）を介して第２カム枠１８のカム溝１８ｂにより＋Ｚ方向へ繰り出される。なお、第３群レンズ保持枠３３と一体的に移動する絞り枠３５は、第２移動枠３７の不図示の光軸Ｏ方向に沿った直進溝に絞り枠３５に設けられた不図示の直進キー溝が嵌合して、光軸Ｏ方向に直進ガイドされている。
【００４７】
以上のようにズーミングがされたレンズ鏡筒１は、図５に示す所定のテレ状態、更には、ズーム環１５の所定方向の回動規制位置により、図１に示す最大のテレ状態、つまり、光軸Ｏ方向の長さが最も長い状態となる。なお、ワイド状態からテレ状態にレンズ鏡筒１がズーミングする場合は、上述のズーム環１５の回転方向と反対の回転方向操作により、上述の動作と逆方向に各枠部材及び各レンズが移動する。
【００４８】
また、図１〜図３に示すように、第３群レンズ４３がテレ状態、ワイド状態及び標準状態にかけて、最も光軸Ｏ方向の進退移動量が多い、すなわち、第３群レンズ保持枠３３及び絞り枠３５が最も光軸Ｏ方向の移動距離が長くなっている。
【００４９】
なお、レンズ鏡筒１は、マニュアルによってフォーカシングされる場合、距離環１４が手動により回動操作される。マニュアルフォーカシング及びオートフォーカシングにおいても、フォーカスモータによってフォーカシング駆動され、レンズ駆動環（ＬＤ環）２６が所定に回動操作される。マニュアルフォーカシング及びオートフォーカシングされた場合、レンズ鏡筒１は、第２群レンズ保持枠３２及び第１群レンズ保持枠３１が相対的に光軸Ｏ方向に進退移動される。このレンズ鏡筒１のフォーカシング操作において、各レンズ保持枠３２,３１は、カムフォロアを介して対応するカム溝３６ｂ，ヘリコイドネジ３６ａ，３８ｃにより光軸Ｏ方向に所定の進退移動がなされる。
【００５０】
上述のワイド状態或いは標準状態からテレ状態に変位されるレンズ鏡筒１の各鏡枠が＋Ｚ方向へ繰り出す際、３重に曲げ畳まれたＦＰＣ２５は、絞り枠３５の移動に伴って、その先端部分２５ｃが引っ張られるように＋Ｚ方向に移動される。すなわち、レンズ鏡筒１がテレ状態になるにつれて、固定枠１１の後端側の硬質制御基板２１と絞り枠３５の相対的な距離が長くなるため、ＦＰＣ２５は、その中途にある曲形部２５ａが光軸Ｏ方向前方に移動しながらＦＰＣ２５の先端部分２５ｃから曲形部２５ａまでの長さが徐々に長くなる。
【００５１】
このとき、ＦＰＣ２５は、曲形部２５ａ側から固定案内部材２４と可動案内部材５１により形成される隙間から開放され、短くなった中途部分（ここでは、曲形部２５ａから曲形部２５ｂまでの部分をいう）が可動案内部材５１の上面によって、案内保持される。また、ＦＰＣ２５は、曲形部２５ａの可動案内部材５１後端部との当接力により、先端部分２５ｃから曲形部２５ａまで部分が＋Ｚ側への張力を発生させ、可動案内部材５１の下面に沿って略直線状態に撓むことなく保持される。
【００５２】
可動案内部材５１は、始めは、その後端部分がＦＰＣ２５の曲形部２５ａを案内保持しながらＦＰＣ２５の移動に伴って＋Ｚ方向へ移動される。そして、可動案内部材５１は、ＦＰＣ２５の中途部分が可動案内部材５１の後端部に摺接しながら、その後端部が曲形部２５ａから離れるように＋Ｚ方向へ移動される。
【００５３】
可動案内部材５１は、その長孔５１ａの長さ範囲内において絞り枠３５に対して独立して±Ｚ方向へ移動自在であるため、その後、絞り枠３５が＋Ｚ方向へ移動すると、可動案内部材５１は、第２群レンズ保持枠３２に可動案内部材５１の前端部５１ｃで当接し、ＦＰＣ２５は、可動案内部材５１の後端部５１ｂで曲形部２５ａが支持され、先端部分２５ｃから曲形部２５ａまでの部分が可動案内部材５１の下面に沿って略直線状態に撓むことなく保持される。
【００５４】
さらに、可動案内部材５１は、絞り枠３５の突起部３５Ｂが長孔５１ａの先端と当接することにより＋Ｚ方向に移動される。この状態においても、ＦＰＣ２５は、先端部分２５ｃから曲形部２５ａまでの部分が可動案内部材５１の下面に沿って略直線状態にされ、撓むことなく保持される。
【００５５】
以上の結果、ワイド状態或いは標準状態からテレ状態に変位されるレンズ鏡筒１の各枠が＋Ｚ方向へ繰り出す際、ＦＰＣ２５は、可動案内部材５１によって撓みが除去されると共に、保持されながら展開する。これにより、ＦＰＣ２５の撮影光路内への進入が防止される。
【００５６】
その一方で、テレ状態からワイド状態或いは標準状態にレンズ鏡筒１が変位される場合、展開されたＦＰＣ２５は、絞り枠３５の−Ｚ方向の移動に伴って、絞り枠３５に固着される先端部分が−Ｚ方向に押し進められる。つまり、レンズ鏡筒１がワイド状態になるにつれて、固定枠１１の後端側の硬質制御基板２１と絞り枠３５の相対的な距離が短くなるため、ＦＰＣ２５は、曲形部２５ａがＦＰＣ２５の先端側へ移動され、ＦＰＣ２５の先端部分２５ｃから曲形部２５ａまでの長さが徐々に短くなる。
【００５７】
このとき、ＦＰＣ２５は、曲形部２５ｂが固定案内部材２４の先端部分を覆い、曲形部２５ａが可動案内部材５１の−Ｚ方向の移動に伴って−Ｚ方向へ引っ張られるように可動案内部材５１の後端部と摺接する。そのため、固定案内部材２４と可動案内部材５１の間にあるＦＰＣ２５の中途部分には、所定の張力が与えられる。
【００５８】
その結果、先端部分２５ｃから曲形部２５ａまでのＦＰＣ２５は、曲形部２５ａ側から引っ張られるように、徐々に固定案内部材２４と可動案内部材５１に送り込まれる。従って、先端部分２５ｃから曲形部２５ａまでのＦＰＣ２５は、所定の張力が与えられ、可動案内部材５１の下面に沿って略直線状態にされ、撓むことなく保持される。
【００５９】
可動案内部材５１は、その後端部分がＦＰＣ２５の曲形部２５ａを案内保持しながらＦＰＣ２５及び絞り枠３５の移動に伴って−Ｚ方向へ移動される。また、可動案内部材５１は、絞り枠３５と相対的に独立して±Ｚ方向へ移動した場合でも、先端部分２５ｃから曲形部２５ａまでのＦＰＣ２５は、可動案内部材５１の下面に沿って略直線状態にされ、撓むことなく保持される。
【００６０】
さらに、可動案内部材５１は、絞り枠３５の突起部３５Ｂが長孔５１ａの後端部と当接することにより−Ｚ方向に移動される場合もある。この状態においても、先端部分２５ｃから曲形部２５ａまでのＦＰＣ２５は、可動案内部材５１の下面に沿って略直線状態にされ、撓むことなく保持される。
【００６１】
以上の結果、テレ状態からワイド状態或いは標準状態に変位されるレンズ鏡筒１の各鏡枠が＋Ｚ方向へ繰り出す際、ＦＰＣ２５は、可動案内部材５１に保持されながら撓みが除去されると共に、３重に曲げ畳まれ、撮影光路内に進入することが防止される。
【００６２】
以上説明したように、本実施形態のレンズ鏡筒１は、テレ状態からワイド状態及び標準状態への伸縮過程を含めた全ての状態において、ＦＰＣ２５が可動案内部材５１によって、撮影光路内への進入が防止される。  
また、可動案内部材５１は、絞り枠３５に対して相対的に移動可能にすることにより、絞り枠３５の光軸Ｏ方向の移動距離に対応してＦＰＣ２５を案内保持するための光軸Ｏ方向の長さを短くすることができる。その結果として、レンズ鏡筒１の光軸Ｏ方向の長さを短くすることができる。
【００６３】
詳しくは、他の移動部材の中で光軸Ｏ方向の移動距離が最も長い絞り枠３５に先端部が固着されるＦＰＣ２５は、絞り枠３５の移動に伴って、その移動距離が長くなる。そのため、撮影光路内へのＦＰＣ２５の進入を防止するために、十分な可動案内部材５１の光軸Ｏ方向の長さを確保する必要がある。しかし、可動案内部材５１は、光軸Ｏ方向の長さが短く設定されても、絞り枠３５に対して独立して相対的に移動することで絞り枠３５の移動距離範囲に渡ってＦＰＣ２５を案内保持することができる。
【００６４】
以上の結果、可動案内部材５１の光軸Ｏ方向の長さを短くすることができ、本実施の形態のレンズ鏡筒１は、内部に配設される各種構造物のためのスペースを確保しつつも、標準状態（最も光軸Ｏ方向の長さが短くなる状態）における光軸Ｏ方向の長さを短くすることができる。つまり、上述の構成により本実施形態のレンズ鏡筒１は、光軸Ｏ方向に対する小型化が実現できる。また、このような簡易な構造の為、不必要に部品を使用しないため、鏡筒の外径さえも大きくする必要なく、レンズ鏡筒１の小型化を実現できる。
【００６５】
（第２の実施の形態）
以下、図面に基づいて、本実施形態について説明する。  
図６〜図８は、本発明の第２の実施の形態に係り、図６はテレ状態での電子機器であるカメラ及びそのレンズ鏡筒の光軸上における断面図、図７はテレ状態から沈胴状態へ移動途中のカメラ及びそのレンズ鏡筒の光軸上における断面図、図８は、沈胴状態でのレンズ鏡筒の光軸上における断面図である。なお、本実施形態の説明においても、図６〜図８に示されるカメラ及びレンズ鏡筒において、レンズ鏡筒の光学系（撮影レンズ）の光軸をＯとし、光軸Ｏに沿う方向をＺ方向する。なお、同じく被写体に向かった方向をレンズ鏡筒の前方（＋Ｚ方向）とし、結像側を後方（−Ｚ方向）として説明する。
【００６６】
図６〜図８に示す、電子機器であるカメラ１００は、デジタルカメラであって、カメラ本体１０１と、該カメラ本体１０１に沈胴可能なレンズ鏡筒１０２と、を有して主に構成されている。  
カメラ本体１０１は、カメラ筐体６１と、該カメラ筐体６１に内蔵されるＣＣＤ、ＣＭＯＳなどの固体撮像素子６２が配設された硬質制御基板６３とを有している。なお、カメラ筐体６１内には、ズーミング及びフォーカシングの際におけるレンズ鏡筒１０２の各鏡枠を所定に駆動するための図示しない駆動モータが設けられている。
【００６７】
レンズ鏡筒１０２は、第１群レンズ８１を保持している第１群レンズ保持枠を兼ねる第１移動枠６４と、第２群レンズ８２を保持している第２群レンズ保持枠である第２移動枠６５と、オスヘリコイドネジ、メスヘリコイドネジを外周と内周に有し、さらに不図示のカムを有する第３移動枠６６と、内周にメスヘリコイドネジを有し、カメラ筐体６１に固定される固定枠６７と、を有して主に構成されている。
【００６８】
第１移動枠６４は、第１群レンズ８１の後方における内壁にストッパ部６４ａが突設され、このストッパ部６４ａの背面が移動枠６４の後端部で内向して突出するガイド支持部６４ｂの前面に対向されている。この第１移動枠６４は、固定枠６７に設けられる図示しない直進可動案内部材などによって、光軸Ｏ周りに回動しないように直進ガイドされている。
【００６９】
ガイド支持部６４ｂは、板状の可動案内部材７１を光軸Ｏ方向に進退移動可能に挿通支持している。また、ガイド支持部６４ｂは、図８に示すように、レンズ鏡筒１０２がカメラ筐体６１に沈胴しても、後述する固定案内部材７４及びフレキシブルプリント基板７５が挿通できる貫通部６４ｃを有している。
【００７０】
第２移動枠６５は、光軸Ｏ方向に進退可能で、図示しない絞り羽根を有し、この絞り羽根を駆動する電気装置である絞り駆動用モータ７３及び図示しない絞り検出装置が配設されている。なお、第２移動枠６５は、第１移動枠６４と同様に、固定枠６７に設けられる図示しない直進可動案内部材などによって、光軸Ｏ周りに回動しないように直進ガイドされている。
【００７１】
第３移動枠６６は、光軸Ｏ方向に進退可能、且つ、カメラ本体１０１の駆動モータ（不図示）によって固定枠６７に相対して所定に回動操作される。なお、移動枠６６が回動操作されると、第１移動枠６４は、前記ヘリコイドネジにより光軸方向に移動し、さらに、図示しないカム溝及びカムフォロアによって第２移動枠６５が±Ｚ方向に進退移動される。また、第３移動枠６６は、自己の回動に伴って、固定枠６７に相対して、前記ヘリコイドネジにより±Ｚ方向に進退移動される。従って、レンズ鏡筒１０２は、各鏡枠がカム溝及びカムフォロアによって連結され、これにより第３移動枠６６の回動操作によりズーミング若しくはフォーカシングがされる。
【００７２】
第１移動枠６４のガイド支持部６４ｂに支持される可動案内部材７１は、ガイド保持部６４ｂの前方において、中途部分に外向フランジ７１ａを有し、この外向フランジ７１ａとストッパ部６４ａとの間にはバネ部材７２が介装されている。そして、可動案内部材７１は、バネ部材７２によって後方（−Ｚ方向）に付勢されている。
【００７３】
フレキシブルプリント基板（ＦＰＣ）７５は、一端（後端）７５ｄが硬質制御基板６３と接続され、他端（先端部分）７５ｃが第２移動枠６５の絞り駆動用モータ７３に接続され、可撓性を有し、帯状形状を有する電気信号線である。なお、可動案内部材７１は、図６〜図８に示すように、レンズ鏡筒１０２がテレ状態から沈胴状態の全ての状態において、その後端部分が固定案内部材７４と長手方向に対して少なくとも重なる部分を有するように、長手方向の長さが設定されている。また、可動案内部材７１は、外向フランジ７１ａから後端までの長さ範囲において、第１移動枠６４に対して相対的に光軸Ｏ方向に進退移動可能となっている。
【００７４】
固定枠６７の内部には、第１の実施の形態と同様に、ＦＰＣ７５の中途部分を上面において貼着保持している固定案内部材７４が配設されている。この固定案内部材７４は、固定枠６７の後端側に配設されており、レンズ鏡筒１０２の最も光軸Ｏ方向の長さが短くなる状態、つまり、沈胴状態（図８参照）において、繰り込まれる各鏡枠と当接しない長手方向の長さが設定されている。
【００７５】
なお、本実施形態の可動案内部材７１は、第１の実施の形態の可動案内部材５１と同様に、レンズ鏡筒１０２の内部において、後述する固定案内部材７４よりも光軸Ｏ側に、光軸Ｏと平行に、そして固定案内部材７１とも平行に位置している。また、可動案内部材７１と固定案内部材７４は、夫々の上下間、つまり、可動案内部材７１の上面と固定案内部材７４の下面との間にＦＰＣ７５が挿通するための隙間が形成されるように所定の離間距離を有して互いに並設されている。
【００７６】
ＦＰＣ７５は、固定案内部材７４の前方及び可動案内部材７１の後方の各端部を覆うように、曲形部７５ａ,７５ｂが夫々Ｕ状に曲げ畳まれており、先端部分が可動案内部材７１の下面に沿って第２移動枠６５側へ延びている。このＦＰＣ７５は、図７に示す、レンズ鏡筒１０２のワイド状態において、３重に曲げ畳まれた状態（いわばＳ字状に曲げ畳まれた状態）となり、固定案内部材７４及び可動案内部材７１によって光束内に侵入しないように案内保持されている。また、ＦＰＣ７５は、第２移動枠６５の移動距離に対応するため、十分な展開ができるように光軸Ｏ方向の長さが設定されている。
【００７７】
以上のように構成された本実施の形態のレンズ鏡筒１０２が図６のテレ状態から図８の沈胴状態に各鏡枠が繰り込まれる際における、ＦＰＣ７５及びそのＦＰＣ７５を案内保持する可動案内部材７１の動作について以下に説明する。
【００７８】
先ず、第１移動枠６４、第２移動枠６５及び第３移動枠６６が−Ｚ方向に移動すると、第２移動枠６５の移動に伴ってモータ７３に連結されたＦＰＣ２５の先端部分７５ｃが−Ｚ方向へ移動する。このとき、可動案内部材７１は、バネ部材７２の−Ｚ方向の付勢力が与えられているため、その外向フランジ７１ａがガイド保持部６４ｂに当接した状態で、−Ｚ方向に移動する。この状態で、可動案内部材７１の後端部分７１ｂは、ＦＰＣ７５の曲形部７５ａを−Ｚ方向へ押し進める。
【００７９】
このとき、ＦＰＣ７５の曲形部７５ａは、可動案内部材７１の後端に摺接しながらＦＰＣ７５の先端側に移動される。つまり、図７に示すように、ＦＰＣ７５は、可動案内部材７１の下面にある先端部分７５ｃから曲形部７５ａまでの部分の光軸Ｏ方向の長さが除々に短くなり、その中途部分が固定案内部材７４と可動案内部材７１の間に送り込まれる。
【００８０】
さらに、詳しく説明すると、レンズ鏡筒１０２がテレ状態からワイド状態になるにつれて、後端側の硬質制御基板６３と第２移動枠６５の相対的な距離が短くなるため、ＦＰＣ７５は、曲形部７５ａから曲形部７５ｂの長さが除々に長くなり、先端部分が−Ｚ方向へ移動して、３重に曲げ畳まれた形状（いわばＳ字状）にされる。
【００８１】
固定案内部材７４と可動案内部材７１の間にあるＦＰＣ７５の曲形部７５ａから曲形部７５ｂまでの部分には、所定の張力が与えられる。さらに、ＦＰＣ７５においても、先端部分７５ｃから曲形部７５ａまでの部分に所定の張力が与えられる。その結果、ＦＰＣ７５の曲形部７５ａから曲形部７５ｂまでの部分が可動案内部材７１の上面に沿って略直線状態にされ、ＦＰＣ７５の先端部分７５ｃから曲形部７５ａまでの部分が可動案内部材７１の下面に沿って略直線状態にされるため、ＦＰＣ７５が撓むことなく保持される。
【００８２】
なお、このとき、固定案内部材７４の先端側からＦＰＣ７５の曲形部７５ｂと共に、第１移動枠６４のガイド支持部６４ｂの貫通部６４ｃ内へ固定案内部材７４が挿通されるように、第１移動枠６４が−Ｚ方向へ移動する。
【００８３】
図８に示すレンズ鏡筒１０２がカメラ筐体６１に沈胴された状態においては、硬質制御基板６３と第２移動枠６５との相対距離が最も短い状態となり、可動案内部材７１がＦＰＣ７５の曲形部７５ａの当接力により第２移動枠６５に相対して＋Ｚ方向へ最も移動される状態となる。それにより、バネ部材７２は、最も短縮した状態にされる。
【００８４】
この状態において、ＦＰＣ７５は、第１移動枠６４、固定案内部材７４、可動案内部材７１及び第２移動枠の夫々の間において、Ｓ字状に曲げ畳まれた状態となる。
【００８５】
以上の結果、テレ状態からワイド状態、沈胴状態に操作されるレンズ鏡筒１０２の各鏡枠が−Ｚ方向へ繰り込まれる際、ＦＰＣ７５は、可動案内部材７１及び固定案内部材７４に案内保持されながら撮影光路内に撓むことなく曲げ畳まれ、撮影光路内に進入することが防止される。
【００８６】
その一方、沈胴状態からテレ状態に操作されるレンズ鏡筒１０２の各鏡枠が＋Ｚ方向へ繰り出す場合においても、バネ部材７２の付勢力とＦＰＣ７５の曲形部７５ａの当接力により、ＦＰＣ７５に所定の張力を与えながら、可動案内部材７１は、上述と逆方向に移動される。そのため、３重に曲げ畳まれたＦＰＣ７５は、可動案内部材７１及び固定案内部材７４に案内保持されながら撓むことなく展開し、撮影光路内に進入することが防止される。
【００８７】
以上説明したように、本実施形態のレンズ鏡筒１０２は、テレ状態から沈胴状態への伸縮過程を含めた全ての状態において、可動案内部材７１にバネ部材７２の−Ｚ方向の付勢力が与えられているため、ＦＰＣ７５は、撓みが除去され、撮影光路内への進入を防止される。
【００８８】
また、第１の実施の形態では、可動案内部材が絞り枠（本実施形態においては第２移動枠６５に相当する）に相対的に移動可能にしたが、本実施形態の可動案内部材７１が第１移動枠６４に相対的に移動可能とすることにより、第１移動枠６４の光軸Ｏ方向の移動距離に対応するＦＰＣ７５を案内保持するための光軸Ｏ方向の長さを短くすることができる。
【００８９】
その結果、本実施の形態のレンズ鏡筒１０２は、第１の実施の形態の効果を奏すると共に、沈胴状態（最も光軸Ｏ方向の長さが短くなる状態）における光軸Ｏ方向の長さを短くすることができるため、レンズ鏡筒１０２が沈胴するカメラ１００を小型化にすることができる。
【００９０】
（第３の実施の形態）
以下、図面に基づいて、本実施形態について説明する。  
図９〜図１１は、本発明の第３の実施の形態に係り、図９はテレ状態でのカメラ及びそのレンズ鏡筒の光軸上における断面図、図１０は沈胴状態でのレンズ鏡筒の光軸上における断面図、図１１は、フレキシブルプリント基板及び可動案内部材を説明するための概略構成図である。なお、本実施形態においても、以下の説明において、レンズ鏡筒の光学系（撮影レンズ）の光軸をＯとし、光軸Ｏに沿う方向をＺ方向とする。Ｚ方向のレンズ鏡筒被写体側を前方（＋Ｚ方向）とし、結像側を後方（−Ｚ方向）とする。
【００９１】
図９及び図１０に示す、カメラ１１０は、デジタルカメラであって、カメラ本体１１１と、該カメラ本体１１１に沈胴可能なレンズ鏡筒１１２と、を有して主に構成されている。
【００９２】
カメラ本体１１１は、カメラ筐体６１´と、該カメラ筐体６１´に内蔵されるＣＣＤ、ＣＭＯＳなどの固体撮像素子６２´が配設された硬質制御基板６３´とを有している。
【００９３】
レンズ鏡筒１１２は、第１群レンズ８１´を保持している第１群レンズ保持枠を兼ね、光軸Ｏ方向後端外周にオスヘリコイドネジを有した第１移動枠６４´と、第２群レンズ８２´を保持している第２群レンズ保持枠である第２移動枠６５´と、カメラ筐体６１´に固定され、内周面にメスヘリコイドネジを有した円筒状の固定枠６７´と、第３群レンズ８３を保持している第３群レンズ保持枠６８を有して主に構成されている。
【００９４】
第１移動枠６４´は、第１群レンズ８１´の背面側の内壁に当接部６４Ａが突設されている。なお、第１移動枠６４´は、上記オスヘリコイドネジと上記メスヘリコイドネジの螺合によって、固定枠６７´と相対的に光軸Ｏ方向に進退移動する。また、この光軸Ｏ方向の進退移動のため、第１移動枠６４´は、カメラ筐体６１´に配接される図示しない駆動モータによって所定に回動されるものである。
【００９５】
第２移動枠６５´は、上方に突出するピン部材６５ａと、図示しないカムフォロア及び絞り羽根を有し、この絞り羽根を駆動する電気装置である絞り駆動用モータ７３´及び図示しない絞り検出装置が配設されている。なお、第２移動枠６５´は、カムフォロアを介して第１移動枠６４´の図示しないカム溝によって光軸Ｏ方向に進退可能であって、固定枠６７´に設けられる図示しない直進可動案内部材などによって、光軸Ｏ周りに回動しないように直進ガイドされている。
【００９６】
固定枠６７´には、固定案内部材７４´が設けられている。この固定案内部材７４´の先端部分の下面からは、フレキシブルプリント基板（ＦＰＣ）７５´を案内する可動案内部材９１を光軸Ｏ方向に進退自在に支持するガイド支持部７８が撮影光路方向（鏡筒内径方向）に向かって突設されている。なお、固定枠６７´内には、第３群レンズ保持枠６８´が固体撮像素子６２´の近傍に位置するように固定されている。
【００９７】
次に、可動案内部材９１、ガイド支持部７８、第２移動枠６５´及びＦＰＣ７５´について詳しく説明する。  
ガイド支持部７８に支持される可動案内部材９１は、図１１に示すように、長手方向に沿った長孔９１ａを有し、短手方向（鏡筒円周方向）の長さがＦＰＣ７５´の短手方向の長さと略同等の長さを有する板状の部材である。この可動案内部材９１は、ガイド支持部７８の内側面、上板部７８ａ及び下板部７８ｂによって形成される空間に挿通され、光軸Ｏ方向に進退自在に支持されている。
【００９８】
ガイド支持部７８の下板部７８ｂには、長孔９１ａの両内壁に沿って上方へ突出する２つのストッパ部７８ｃが先端側に設けられ、中央部分に前方から後方にかけて凹部７８ｄが切り欠き形成されている。２つのストッパ部７８ｃは、可動案内部材９１の後端内壁９１ｂと当接することにより、可動案内部材９１の光軸Ｏ方向前方（＋Ｚ方向）への移動を規制するためのストッパである。  
第２移動枠６５´は、光軸Ｏに沿った帯状のフレキシブルプリント基板７５´の先端部分７５ｃ´が固着され、このＦＰＣ７５´の先端部分７５ｃ´が絞り駆動用モータ７３（図９及び図１０参照）及び図示しない絞り検出装置と接続されている。
【００９９】
また、第２移動枠６５´の上方から突起しているピン部材６５ａは、ガイド支持部７８の前方側における可動案内部材９１の長孔９１ａ内に挿入している。このピン部材６５ａが可動案内部材９１の長孔９１ａ先端内壁９１ｃと当接することにより、第２移動枠６５´の光軸Ｏ方向前方（＋Ｚ方向）への移動に伴って、可動案内部材９１が光軸Ｏ方向前方へ繰り出すように案内移動される。
【０１００】
また、ピン部材６５ａがガイド支持部７８の凹部７８ｄの後端壁７８ｅと当接することにより、第２移動枠６５´の光軸Ｏ方向後方（−Ｚ方向）への移動が規制されている。
【０１０１】
先端部分７５ｃ´が第２移動枠６５´に固着されるＦＰＣ７５´は、後端７５ｄ´が硬質制御基板６３ａに接続されており、可動案内部材９１とガイド支持部７８の上板部７８ａとの間に挿通され、可動案内部材９１の上面に沿って案内保持されている。このＦＰＣ７５´は、固定案内部材７４´の前方及び可動案内部材９１の後方の各端部近傍に曲形部７５ｂ´,７５ａ´が夫々Ｕ状に曲げ畳まれており、先端部分７５ｃ´のさらにその先端部分は可動案内部材９１の下方に延びて第２移動枠６５側に固定されている。このＦＰＣ７５´は、図８に示す、レンズ鏡筒１０２のワイド状態において、３重に曲げ畳まれた状態（いわばＳ字状に曲げ畳まれた状態）となり、固定案内部材７４´及び可動案内部材９１によって光束内に侵入しないように案内保持されている。また、ＦＰＣ７５´は、第２群レンズ枠６５の移動距離に対応するため、十分な展開ができるように光軸Ｏ方向の長さが設定されている。そして、ＦＰＣ７５´の先端部分７５ｃ´は、可動案内部材９１に固着されていない。
【０１０２】
以上のように構成された本実施の形態のレンズ鏡筒１１２が図９のテレ状態から図１０の沈胴状態に各鏡枠が繰り込まれる際における、ＦＰＣ７５´及びそのＦＰＣ７５´を案内保持する可動案内部材９１の動作について説明する。  
先ず、レンズ鏡筒１がテレ状態から沈胴状態となる際、第１移動枠６４´が所定の回動をしながら、−Ｚ方向に移動する。この第１移動枠６４´の回動に伴って、第２移動枠６５´は、そのカムフォロア（不図示）を介して第１移動枠６４´のカム溝（不図示）によって−Ｚ方向へ移動する。
【０１０３】
そして、第１移動枠６４´は、その当接部６４Ａが可動案内部材９１の先端部分に当接し、可動案内部材９１を−Ｚ方向へ押しながら−Ｚ方向へ移動する。この状態において、第１移動枠６４´の当接部６４Ａと当接される可動案内部材９１は、その上面においてＦＰＣ７５´を保持している。
【０１０４】
また、ＦＰＣ７５´は、その先端部分が第２移動枠６５´の移動に伴って、−Ｚ方向へ押され、可動案内部材９１の上面に保持されている部分（先端部分から曲形部７５ａ´までの部分）が若干に可動案内部材９１の上面に摺動しながら−Ｚ方向に移動する。つまり、ＦＰＣ７５´は、可動案内部材９１の上面にある先端部分から曲形部７５ａ´までの部分の光軸Ｏ方向の長さが除々に短くなる。
【０１０５】
レンズ鏡筒１１２が沈胴状態になるにつれて、後端側の硬質制御基板６３´と第２移動枠６５´の相対的な距離が短くなるため、ＦＰＣ７５´は、曲形部７５ａ´側から固定案内部材７４´と可動案内部材９１の間に送り込まれるように、曲形部７５ａ´から曲形部７５ｂ´の長さが除々に長くなる。そして、ＦＰＣ７５´は、固定案内部材７４´の下面及び可動案内部材９１の上面によって、撮影光路内に進入しないように保持され、３重に曲げ畳まれる。
【０１０６】
なお、第２移動枠６５´は、ピン部材６５ａがガイド支持部７８の凹部７８ａ後端壁９１ｂと当接することにより、−Ｚ方向の移動が制止される。
【０１０７】
一方、レンズ鏡筒１が沈胴状態からテレ状態となる際、第１移動枠６４´は、が前述と反対方向に回動しながら、＋Ｚ方向へ移動する。この第１移動枠６４´の回動に伴って、第２移動枠６５´は、そのカムフォロア（不図示）を介して第１移動枠６４´のカム溝（不図示）によって＋Ｚ方向へ移動する。
【０１０８】
可動案内部材９１は、第２移動枠６５´のピン部材６５ａが長孔９１ａの先端内壁９１ｃと当接し、第２移動枠６５´の＋Ｚ方向に伴って、その上面においてＦＰＣ７５´を保持しながら＋Ｚ方向へ送り出される。
【０１０９】
ＦＰＣ７５´は、その先端部分が第２移動枠６５´の移動に伴って、＋Ｚ方向へ引っ張られ、可動案内部材９１の上面に保持されている部分（先端部分から曲形部７５ａ´までの部分）が若干に可動案内部材９１の上面に摺動しながら＋Ｚ方向に移動する。このＦＰＣ７５は、可動案内部材７１´の上面にある先端部分から曲形部７５ａ´までの部分の光軸Ｏ方向の長さが除々に長くなる。
【０１１０】
レンズ鏡筒１１２がテレ状態になるにつれて、後端側の硬質制御基板６３´と第２移動枠６５´の相対的な距離が長くなるため、ＦＰＣ７５´は、固定案内部材７４´と可動案内部材９１の間の中途部分が曲形部７５ａ´側から可動案内部材９１の上面に送り出され、曲形部７５ａ´から曲形部７５ｂ´の長さが除々に長くなる。そして、ＦＰＣ７５´は、固定案内部材７４´の下面及び可動案内部材９１の上面によって、撮影光路内に進入しないように保持されながら展開する。
【０１１１】
以上の結果、本実施形態のレンズ鏡筒１１２は、第１、第２の実施の形態の効果を奏すると共に、ＦＰＣ７５´が可動案内部材９１の上面によって保持されているため、内部の各種機構部品にＦＰＣ７５´が引っ掛かることが防止される。
【０１１２】
なお、第1〜第３の実施の形態における可動案内部材５１，７１，９１は、固定案内部材２４，７４，７４´により、光軸Ｏ方向に移動自在に保持されていても良い。  
さらに、上述の３つの実施の形態において、レンズ鏡筒を例に挙げて説明したが、移動する各種部材及び各種電気装置に接続され、移動を伴うフレキシブル基板を有する電子機器、例えば、ビデオカメラなどにおいても、上述した可動案内部材を設けることにより、本発明を適用可能である。
【０１１３】
また、本発明は、以上述べた実施形態のみに限定されるものではなく、発明の要旨を逸脱しない範囲で種々変形実施可能である。
【図面の簡単な説明】
【０１１４】
【図１】第１の実施の形態に係るテレ状態での電子機器であるカメラに着脱可能なレンズ鏡筒の光軸上における断面図である。
【図２】第１の実施の形態に係るワイド状態でのレンズ鏡筒の光軸上おける断面図である。
【図３】第１の実施の形態に係る標準状態でのレンズ鏡筒の光軸上における断面図である。
【図４】第１の実施の形態に係るフレキシブルプリント基板及び可動案内部材を説明するための概略構成を示す図である。
【図５】第１の実施の形態に係るテレ状態からワイド状態へ移動途中のレンズ鏡筒の光軸上における断面図である。
【図６】第２の実施の形態に係るテレ状態でのカメラ及びそのレンズ鏡筒の光軸上における断面図である。
【図７】第２の実施の形態に係るテレ状態から沈胴状態へ移動途中のカメラ及びそのレンズ鏡筒の光軸上における断面図である。
【図８】第２の実施の形態に係る沈胴状態でのレンズ鏡筒の光軸上における断面図である。
【図９】第３の実施の形態に係るテレ状態でのカメラ及びそのレンズ鏡筒の光軸上における断面図である。
【図１０】第３の実施の形態に係る沈胴状態でのレンズ鏡筒の光軸上における断面図である。
【図１１】第３の実施の形態に係るフレキシブルプリント基板及び可動案内部材を説明するための概略構成を示す図である。
【符号の説明】
【０１１５】
１・・・レンズ鏡筒
１１・・・固定枠
１５・・・ズーム環
２１・・・硬質制御基板
２４・・・固定案内部材
２５・・・フレキシブルプリント基板（電気信号線）
２５ａ，２５ｂ・・・曲形部
３３・・・第３群レンズ保持枠
３５・・・絞り枠（移動枠）
３５Ｂ・・・突起部
５５・・・絞り駆動用モータ（電気装置）
５１・・・可動案内部材
５１ａ・・・長孔
Ｏ・・・光軸
７２・・・バネ部材
６５ａ・・・ピン部材
代理人    弁理士    伊  藤    進
【図１】
2006145704.tif 000003
【図２】
2006145704.tif 000004
【図３】
2006145704.tif 000005
【図４】
2006145704.tif 000006
【図５】
2006145704.tif 000007
【図６】
2006145704.tif 000008
【図７】
2006145704.tif 000009
【図８】
2006145704.tif 000010
【図９】
2006145704.tif 000011
【図１０】
2006145704.tif 000012
【図１１】
2006145704.tif 000013